(57)【要約】【課題】  本体内のロースター部に、触媒と、この触媒を加熱する触媒加熱用ヒーターをバランスよく配置し、ロースター部に空気の流れを発生させて油煙の浄化、脱臭作用を効率良く行う。【解決手段】  本体１の上面にプレート３を備え、プレート３の下方に誘導加熱用の加熱コイル６を備え、この加熱コイル６の下方で本体１の左側にロースター部４を備え、該ロースター部４とは反対側の本体１内に加熱コイル６に対応した制御部ユニット８を備えた誘導加熱調理器において、前記ロースター部４のロースター開口部４ｂと該開口部４ｂを開閉するロースタードア４ａとの接触面に空気が流入できる流入口２３を設け、前記ロースター開口部４ｂ以外の面に臭いや油煙を脱臭するための触媒１９を設け、この触媒１９の近傍に触媒加熱用ヒーター１５を配置し、さらに、触媒１９の下流側に位置したロースターケース１８に空気の混入口２０を有する排気ダクト２１を接続した。【選択図】  図４
2006029596.tif 000002
【特許請求の範囲】
【請求項１】
本体（１）の上面に容器（２）を載置するプレート（３）を備え、プレート（３）の下方に誘導加熱用の加熱コイル（６）を備え、この加熱コイル（６）の下方で本体（１）の左側または右側にロースター部（４）を備え、前記加熱コイル（６）の下方でロースター部（４）とは反対側の本体（１）内に加熱コイル（６）に対応した制御部ユニット（８）を備えた誘導加熱調理器において、前記ロースター部（４）のロースター開口部（４ｂ）と該開口部（４ｂ）を開閉するロースタードア（４ａ）との接触面に空気が流入できる流入口（２３）を設け、ロースター開口部（４ｂ）以外の面にロースター調理を行った際に発生する臭いや油煙を脱臭するための触媒（１９）を設け、この触媒（１９）の近傍に触媒加熱用ヒーター（１５）を配置し、さらに、触媒（１９）の下流側に位置したロースターケース（１８）に空気の混入口（２０）を有する排気ダクト（２１）を接続したことを特徴とする誘導加熱調理器。
【請求項２】
触媒加熱用ヒーター（１５）に、ロースター部（４）内に入れた食品が直接触媒加熱用ヒーター（１５）に接触しない様に排気用の穴（２５）を設けたカバー（２２）を配置したことを特徴とする請求項１記載の誘導加熱調理器。
【請求項３】
ロースター部（４）の触媒（１９）を設ける面の一部又は全面が平面ヒーターよりなる触媒加熱用ヒーター（１５）で構成されていることを特徴とする請求項１記載の誘導加熱調理器。
【発明の詳細な説明】
【技術分野】
【０００１】
本発明は、本体内に加熱コイルとロースター部を備えた誘導加熱調理器に関するものである。
【背景技術】
【０００２】
従来、単体のフィッシュロースター等においては、ロースター調理を行った際に発生する臭いや油煙を脱臭するために触媒を組み込んだ製品が一般的である。
【０００３】
この単体のフィッシュロースターに触媒を組み込んだ従来例として、特許文献１に示す例がある。
【０００４】
このものは、調理庫の外側後部に触媒からなる脱臭装置と排気用ファンを併設し、魚等の加熱調理時に調理庫内で発生する臭いや油煙を脱臭装置を通して排気用ファンにより脱臭して本体外に排出するものである。
【０００５】
一方、システムキッチン等に組込まれるビルトイン形の加熱調理器においては、誘導加熱調理器とロースター部を組み合わせた複合調理器が一般的であるが、製品寸法をシステムキッチンに合わせているため簡単に機器本体を大きくできないという制約があるほか、本体内部にロースター部及び制御部を配置し、その上部に複数個の加熱コイルや抵抗ヒーターを配置しているため、本体内には充分な有効スペースを確保することができないという誘導加熱調理器特有の問題点を有している。
【０００６】
これらの制約や問題点を有している中で、ロースター部に触媒を組み込んだ従来例として特許文献２や特許文献３に示す例がある。
【０００７】
特許文献２に示すものは、ロースター庫の後方に脱臭触媒と吸気ファンを組み込み、脱臭触媒により浄化、脱臭された新鮮できれいな熱気を調理のために循環使用し、余計な蒸気は外部に排出するものである。
【０００８】
また、特許文献３に示すものは、調理庫の後方に脱臭触媒と除煙ファンを組み込み、調理中に発生する煙を脱臭触媒により除煙して調理庫外に排出するものである。
【０００９】
【特許文献１】特開平８−３３６４６５号公報
【００１０】
【特許文献２】特開２００２−２６３００６号公報
【特許文献３】特開２００３−１４４３３３号公報
【発明の開示】
【発明が解決しようとする課題】
【００１１】
特許文献１に示すように、単体のフィッシュロースターに触媒を組み込んだ従来例においては、機器本体の大きさに制約を受けないため調理庫の外側後部や上部等に自由に脱臭装置と排気用ファンおよびそのモーターを組み込むことができる。
【００１２】
しかし、特許文献２や特許文献３に示すように、ビルトイン形の誘導加熱調理器においては、上記したように製品寸法をシステムキッチンに合わせているため容易に機器本体側を大きくできないという制約があるほか、本体内にロースター部や制御部を配置し、その上部に複数個の加熱コイルや抵抗ヒーターを配置していて充分な有効スペースを確保することができない中で、ロースター部の後方に実際に脱臭触媒と、この脱臭触媒を加熱する触媒加熱用ヒーター、排気用ファンおよびそのモーターをバランスよく配置して脱臭触媒の浄化、脱臭作用を効率良く行わせることはむずかしい。
【００１３】
また、機器本体内に充分な有効スペースを確保することができない中で構成部品数量が増え、構造が複雑で非常に高価なものになってしまうという問題点があった。
【課題を解決するための手段】
【００１４】
本発明は上記の課題を解決するためになされたものであり、請求項１では、本体の上面に容器を載置するプレートを備え、プレートの下方に誘導加熱用の加熱コイルを備え、この加熱コイルの下方で本体の左側または右側にロースター部を備え、前記加熱コイルの下方でロースター部とは反対側の本体内に加熱コイルに対応した制御部ユニットを備えた誘導加熱調理器において、前記ロースター部のロースター開口部と該開口部を開閉するロースタードアとの接触面に空気が流入できる流入口を設け、ロースター開口部以外の面にロースター調理を行った際に発生する臭いや油煙を脱臭するための触媒を設け、この触媒の近傍に触媒加熱用ヒーターを配置し、さらに、触媒の下流側に位置したロースターケースに空気の混入口を有する排気ダクトを接続したものである。
【００１５】
また、請求項２では、触媒加熱用ヒーターに、ロースター部内に入れた食品が直接触媒加熱用ヒーターに接触しない様に排気用の穴を設けたカバーを配置したものである。
【００１６】
さらに、請求項３では、ロースター部の触媒を設ける面の一部若しくは全面が平面ヒーターよりなる触媒加熱用ヒーターで構成されるものである。
【発明の効果】
【００１７】
本発明の請求項１によれば、本体内に充分な有効スペースを確保することができない中で、特別構成部品をふやすことなくロースター部に触媒と、この触媒を加熱する触媒加熱用ヒーターをバランスよく配置して触媒の浄化、脱臭作用を行うことができる。
【００１８】
また、ロースター開口部とロースタードアとの接触面に空気の流入口を設け、触媒の下流側に空気の混入口を有する排気ダクトを配置することによって、負圧吸引の原理により、ロースター部に空気の流れが発生し、触媒性能が向上し、油煙の浄化、脱臭作用を効率良く行うことができるものである。
【００１９】
また、請求項２によれば、触媒加熱用ヒーターの手前側にロースター部内に入れた食品が直接触媒加熱用ヒーターに接触しない様に排気用の穴を設けたカバーを配置したため、効率よくロースターケース内に溜まった油煙を排出することができ、省エネで製品仕様を高めることができる。
【００２０】
さらに、請求項３によれば、触媒を設ける面の一部又は全面を平面ヒーターよりなる触媒加熱用ヒーターで構成した場合には、本体内のロースター部に触媒と、この触媒を加熱する触媒加熱用ヒーターをさらにバランスよく配置することができ、構造が複雑になることがなく、安価なものに仕上げることができる。
【発明を実施するための最良の形態】
【００２１】
以下、本発明の一実施例を図１から図６に従って説明する。
【００２２】
図１は本発明の誘導加熱調理器をシステムキッチンに組み込んだ状態の外観斜視図、図２は同本体構成を示す上面図、図３は同ロースタードアを除いた同正面図、図４は図２のＡ−Ａ断面図、図５は図４に他の実施例を付加した断面図、図６は図２のＢ−Ｂ断面図を示すものである。
【００２３】
図において、１は誘導加熱調理器の本体で、後部上面に吸排気通路となる開口部１ａを有しており、システムキッチン２４の中に上面から落とし込まれて設置されている。２は鍋等の容器で、被加熱物を入れて調理するものである。３は耐熱ガラス等からなるプレートで、本体１の上面に備えられ、容器２を載置するものである。
【００２４】
４はロースター部で、後記する加熱コイル６の下方で本体１の左側または右側（本実施例では左側）に備えられ、魚４２等の食品を出し入れするロースター開口部４ｂを開閉するロースタードア４ａを設け、内部に後記する上、下ロースターヒーター１６、１７や受け皿４０、焼き網４１等が組み込まれており、焼き網４１の上に魚４２等を載せて焼くことができるようになっている。
【００２５】
５は操作部で、ロースター部４の横に位置するように本体１の右側前面に配置され、電源の入り切りや加熱の設定等を行うものである。
【００２６】
６は加熱コイルで、プレート３の下方で本体１内の上部に設置されたトップケース７内の左右に略水平に二つ配置され、容器２を誘導加熱する。
【００２７】
８は制御部ユニットで、トップケース７の下面でロースター部４とは反対側の本体１内に備えられ、例えば樹脂製よりなる略中空箱形のケース９と、このケース９内に設置された加熱コイル６やロースター部４を制御する制御部１０および加熱コイル６の駆動素子を冷却する冷却ファン１１等で構成されている。
【００２８】
また、前記ケース９の後部上面には、本体１後部の開口部１ａを通してケース９内に冷却空気を吸引する吸気口１２が設けられ、前部側上面とロースター部４側上面には二つの加熱コイル６と対応するように冷却口１３、１４が設けられている。
【００２９】
次に、ロースター部４の主要部の詳細な構成を説明すると、１８は上面、側面、底面、背面からなり、前面が開口したロースターケースで、その内部の上下には魚等を上面と下面から焼く上、下ロースターヒーター１６、１７が配置され（本実施例では両面焼きロースターで説明しているが、ロースターヒーターが上面又は下面のみの片面焼きでもよい）、また、背面側にはロースター調理を行なった際に発生する臭いや油煙を脱臭するための触媒１９および触媒１９の手前側に該触媒１９と対向するように触媒加熱用ヒーター１５を設けている（本実施例では触媒加熱用ヒーター１５は触媒１９の手前側だが、触媒１９が十分に加熱される後側でもよい）。
【００３０】
２３は流入口で、ロースター部４の前面下側のロースター開口部４ｂとロースタードア４ａとの間に設けられており、外気をロースター部４内に入れるものである。なお、この流入口２３以外の面ではロースター開口部４ｂとロースタードア４ａは密着しており、外気はロースター部４には流入しないようになっている。
【００３１】
２１は排気ダクトで、触媒１９を通過する油煙を本体１外に排出するためのものであり、図４に示すように触媒１９の下流側に位置するようにロースターケース１８の背面側上部に接続されており、その下面側の一部に外気の混入口２０を設けた排気ダクト２１を配置している。そして、この排気ダクト２１はその上面に開口させた排気口２１ａを通して本体１の後部上面の排気通路となる開口部１ａに連なっている。
【００３２】
また、この排気ダクト２１は、図５に示すように触媒１９の下流側に位置するようにロースターケース１８の背面側後部に接続することもでき、この場合にもその下面側及び立ち上がり側の一部に外気の混入口２０を設けている。
【００３３】
そして、図４及び図５の実施例ともロースター使用時には、ロースター部４の庫内が高温となり、負圧吸引作用により混入口２０から排気ダクト２１に流入した空気４４がロースター開口部４ｂとロースタードア４ａとの間の流入口２３からロースター部４の庫内に流入した空気の流れ４３と合流して混流し、排気ダクト２１及びその上面に開口させた排気口２１ａを通して本体１後部上面の開口部１ａから外部（室内）に排気される構成になっている。
【００３４】
図３、図５において、２２はカバーで、触媒加熱用ヒーター１５の手前側にロースター調理を行う際に焼き網４１上に載せた魚４２等の食品が直接触媒加熱用ヒーター１５に接触しないようにロースターケース１８の後部に垂直に配置されており、その上部には図３に示すように横方向に複数個で、上下方向に複数段開口する排気用の穴２５を設けている。
【００３５】
そして、このカバー２２の穴２５は、触媒加熱用ヒーター１５と対向する面には設けないようにしており、触媒加熱用ヒーター１５の熱をカバー２２の面から反射させて触媒１９を加熱し、その全体の温度分布を向上させるようにしている。
【００３６】
本発明は以上の構成よりなるもので、次にロースター部４を使用して魚焼き動作を行う場合について説明する。なお、加熱コイル６を用いた誘導加熱調理については、従来と同じであるので、今回、説明は省略する。
【００３７】
使用者がロースター部４の焼き網４１上に魚等４２の食品を入れて操作部５を操作すると、上、下ロースターヒーター１６、１７および触媒加熱用ヒーター１５が通電を開始する。
【００３８】
この魚焼き動作によって、ロースター部４の庫内が高温になると、ロースター開口部４ｂとロースタードア４ａとの接触面に空気の流入口２３があり、また、触媒１９の下流側に空気の混入口２０を有する排気ダクト２１が配置されていることにより、負圧吸引の原理によってロースター部４の庫内に空気の流れが発生し、その負圧吸引作用により混入口２０から排気ダクト２１に流入した空気４４とロースター開口部４ｂとロースタードア４ａとの間の流入口２３からロースター部４の庫内に流入した空気の流れ４３が合流して混流し、油煙の浄化、脱臭作用を効率良く行って排気ダクト２１及びその上面に開口させた排気口２１ａを通して本体１後部上面の開口部１ａから外部（室内）に排気する。
【００３９】
また、このとき、図３及び図５に示すように、触媒加熱用ヒーター１５の手前側にロースター部４内に入れた食品が直接触媒加熱用ヒーター１５に接触しない様に排気用の穴２５を設けたカバー２２が配置されているため、触媒加熱用ヒーター１５に通電されると該触媒加熱用ヒーター１５の熱がカバー２２によって反射され、その反射熱によって触媒１９の全面が均一に加熱され、触媒１９の脱煙、脱臭効果はより向上する。
【００４０】
触媒１９は、ある温度以上にならないと触媒としての効果を発揮しないという特性を有しており、前記したように触媒１９をカバー２２によって反射された反射熱により全面を均一に加熱することは極めて効果的である。
【００４１】
さらに、触媒１９を設ける面の一部又は全面を平面ヒーターよりなる触媒加熱用ヒーター１５で構成した場合には、本体１内のロースター部４に触媒１９と、この触媒１９を加熱する触媒加熱用ヒーター１５をさらにバランスよく配置することができ、構造を簡略化できる。
【００４２】
このように、本発明によれば、ロースター部４のロースター開口部４ｂと該開口部４ｂを開閉するロースタードア４ａとの接触面に空気が流入できる流入口２３を設け、前記ロースター開口部４ｂ以外の面にロースター調理を行った際に発生する臭いや油煙を脱臭するための触媒１９を設け、この触媒１９の近傍に触媒加熱用ヒーター１５を配置し、さらに、触媒１９の下流側に位置したロースターケース１８に空気の混入口２０を有する排気ダクト２１を接続したので、本体１内に充分な有効スペースを確保することができない中で、特別構成部品をふやすことなくロースター部４に触媒１９と、この触媒１９を加熱する触媒加熱用ヒーター１５をバランスよく配置して触媒１９の油煙浄化、脱臭作用を行うことができる。
【００４３】
また、前記流入２３と混入口２０を設けることによって、負圧吸引の原理によりロースター部４に空気の流れが発生して触媒性能が向上し、油煙の浄化、脱臭作用を効率良く行うことができる。
【００４４】
また、触媒加熱用ヒーター１５の手前側にロースター部４内に入れた食品が直接触媒加熱用ヒーター１５に接触しない様に排気用の穴２５を設けたカバー２２を配置したため、効率よくロースターケース１８内に溜まった油煙を排出することができ、省エネで製品仕様を高めることができる。
【００４５】
さらに、触媒１９を設ける面の一部又は全面を平面ヒーターよりなる触媒加熱用ヒーター１５で構成した場合には、本体１内のロースター部４に触媒１９と、この触媒１９を加熱する触媒加熱用ヒーター１５をさらにバランスよく配置することができ、構造が複雑になることがなく、誘導加熱調理器として安価で省エネとなり、さらに製品仕様を高めることができる。
【図面の簡単な説明】
【００４６】
【図１】本発明の誘導加熱調理器をシステムキッチンに組み込んだ状態の外観斜視図である。
【図２】本発明の誘導加熱調理器の本体構成を示す上面図である。
【図３】本発明の誘導加熱調理器の本体構成を示すロースタードアを除いた正面図である。
【図４】図２のＡ−Ａ断面図を示すものである。
【図５】図４の他の実施例を示す断面図である。
【図６】図２のＢ−Ｂ断面図を示すものである。
【符号の説明】
【００４７】
１    本体
４    ロースター部
４ａ  ロースタードア
４ｂ  ロースター開口部
６    加熱コイル
８    制御部ユニット
１１    冷却ファン
１５    触媒加熱用ヒーター
１９    触媒
２０    混入口
２１    排気ダクト
２２    カバー
２３    流入口
【図１】
2006029596.tif 000003
【図２】
2006029596.tif 000004
【図３】
2006029596.tif 000005
【図４】
2006029596.tif 000006
【図５】
2006029596.tif 000007
【図６】
2006029596.tif 000008